(57)【要約】【課題】着用者の肌に対するフィット性に優れていると共に、外表面が、柔軟で肌触りが良く、外観的にも柔らかな印象を与えるパンツ型吸収性物品を提供すること。【解決手段】本発明のパンツ型吸収性物品１は、外装体１１とその内面側に固定された吸収性本体１０とを備え、外装体１１は、外表面を形成する外層シート１２及び内側シート１３を有しており、腹側部Ａは、ウエスト領域Ａ１，上腹部領域Ａ２及び下腹部領域Ａ３を有し、ウエスト領域Ａ１及び下腹部領域Ａ３のそれぞれにおいては、ギャザー形成用の弾性部材５１，９１が外層シート１２に幅方向Ｘに延びて固定されており、上腹部領域Ａ２においては、外層シート１２と内側シート１３との間が非接合状態となっており、ギャザー形成用の弾性部材７１が、内側シート１３に幅方向に延びて固定されており、上腹部領域Ａ２が腸骨領域に当接する部位に形成されている。【選択図】図４
2013102887.tif 000002
【特許請求の範囲】
【請求項１】
外装体と、該外装体の内面側に固定された吸収性本体とを備え、腹側部と背側部の間を股部を介して延びる縦方向とこれに交差する幅方向を有するパンツ型吸収性物品であって、
前記外装体は、外表面を形成する外層シート及び該外層シートより内側に位置する内側シートを有しており、
前記腹側部は、ウエスト開口縁側から股部側に向かって順に、ウエスト領域、上腹部領域及び下腹部領域を有しており、
前記ウエスト領域及び前記下腹部領域のそれぞれにおいては、ギャザー形成用の弾性部材が前記外層シートに前記幅方向に延びて固定されており、
前記上腹部領域においては、前記外層シートと前記内側シートとの間が非接合状態となっており、且つギャザー形成用の弾性部材が、該内側シートに前記幅方向に延びて固定されており、
前記上腹部領域が、着用者の腸骨稜から上前腸骨棘にかけての部位に当接する部位に形成されているパンツ型吸収性物品。
【請求項２】
前記下腹部領域に配された前記弾性部材は、前記吸収性本体と重なる部分の中央部に配されていないか、該中央部においては弾性伸縮性を発現しないようになされている、請求項１記載のパンツ型吸収性物品。
【請求項３】
前記ウエスト領域、前記上腹部領域及び前記下腹部領域は、前記幅方向における弾性部材１本あたりの引張荷重が下記の関係を満たす、請求項１又は２記載のパンツ型吸収性物品。
ウエスト領域の引張荷重≧上腹部領域の引張荷重＞下腹部領域の引張荷重
【請求項４】
前記外層シートが、ウエスト開口縁において、前記ウエスト領域に配された前記弾性部材を挟むように折り返されており、該外層シートの折り返し部分と該外層シートの折り返されていない部分との間が、線状に配された接着剤のみによって接合されている、請求項１〜４の何れか１項に記載のパンツ型吸収性物品。
【請求項５】
前記外層シートが、スパンボンド不織布からなる、請求項１〜５の何れか１項記載のパンツ型吸収性物品。
【請求項６】
前記ウエスト領域、前記上腹部領域及び前記下腹部領域は、前記幅方向の引張荷重が下記の関係を満たす、請求項１又は２記載のパンツ型吸収性物品。
上腹部領域の引張荷重＞ウエスト領域の引張荷重＞下腹部領域の引張荷重
【発明の詳細な説明】
【技術分野】
【０００１】
本発明は、パンツ型吸収性物品に関する。
【背景技術】
【０００２】
従来、パンツ型の使い捨ておむつにおいて、胴回り部に配する胴回り部弾性部材を、おむつの外表面を形成する最外層シート以外の部材に固定し、その胴回り弾性部材と最外層シートとの間に非接着領域を設けることによって、最外層シートの内方にギャザーを形成する一方、胴回り部の外表面にはギャザーが形成されないようにする技術が知られている（特許文献１参照）。
また、パンツ型の使い捨ておむつにおいて、着用者の腸骨稜から上前腸骨棘にかけての部位に当接する部位の装着圧を、ウエスト開口部の装着圧よりも高くする技術が知られている（特許文献２参照）。
また、パンツ型の使い捨ておむつにおいて、ウエスト開口縁からレッグ開口縁の上端までの領域を、腹側部腰部区間Ａ、脇上部区間Ｂおよび脇下部区間Ｃの３区間に区分し、それぞれの区間毎に複数本の弾性部材を配設し、かつこれら各区間毎の弾性伸縮力を、脇下部区間Ｃ≧脇上部区間Ｂ＞腰部区間Ａの関係を満たすようにする技術が知られている（特許文献３参照）。
【先行技術文献】
【特許文献】
【０００３】
【特許文献１】特開平１１−４８５３号公報
【特許文献２】特開２００７−２９４７９号公報
【特許文献３】特開２００７−９８１６１号公報
【発明の概要】
【発明が解決しようとする課題】
【０００４】
特許文献１のおむつは、胴回り部の外表面にギャザーが形成されていないため、すっきりとした外観を呈する。しかし、ウエスト領域以外の略全域において、外表面にギャザーが形成されないようにしたために立体感を感じさせにくく、お腹回りの部位に関しては、やわらかな印象を与えにくいものとなっていた。
また、特許文献２や３のおむつは、ウエスト開口縁からレッグ開口縁の上端までの領域の全域に、最外層シートに固定した弾性部材により形成されたギャザーを有するため、おむつの外表面が、柔軟性に劣り、外観的にも柔らかな印象を与えにくいものとなっていた。
【０００５】
従って、本発明の課題は、着用者の肌に対するフィット性に優れていると共に、外表面が、柔軟で肌触りが良く、外観的にも柔らかな印象を与える、パンツ型吸収性物品を提供することにある。
【課題を解決するための手段】
【０００６】
本発明は、外装体と、該外装体の内面側に固定された吸収性本体とを備え、腹側部と背側部の間を股部を介して延びる縦方向とこれに交差する幅方向を有するパンツ型吸収性物品であって、前記外装体は、外表面を形成する外層シート及び該外層シートより内側に位置する内側シートを有しており、前記腹側部は、ウエスト開口縁側から股部側に向かって順に、ウエスト領域、上腹部領域及び下腹部領域を有しており、前記ウエスト領域及び前記下腹部領域のそれぞれにおいては、ギャザー形成用の弾性部材が前記外層シートに前記幅方向に延びて固定されており、前記上腹部領域においては、前記外層シートと前記内側シートとの間が非接合状態となっており、且つギャザー形成用の弾性部材が、該内側シートに前記幅方向に延びて固定されており、前記上腹部領域が、着用者の腸骨稜から上前腸骨棘にかけての部位に当接する部位に形成されているパンツ型吸収性物品を提供するものである。
【発明の効果】
【０００７】
本発明のパンツ型吸収性物品は、着用者の肌に対するフィット性に優れていると共に、外表面が、柔軟で肌触りが良く、外観的にも柔らかな印象を与える。さらに、上腹部領域の着用者の腸骨稜付近にズレ落ちを防止させるための弾性部材を内層シートに固定した状態で備えているため、ズレ落ち防止性に優れる。
【図面の簡単な説明】
【０００８】
【図１】図１は、本発明のパンツ型吸収性物品の一実施形態であるパンツ型使い捨ておむつを示す斜視図である。
【図２】図２は、図１に示すおむつの展開且つ伸長状態における内面側を示す展開平面図である。展開且つ伸長状態とは、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図２のＩ−Ｉ線断面図である。
【図４】図４は、図２のＩＩ−ＩＩ線断面図である。
【図５】図５は、上前腸骨棘及び腸骨稜の位置を示す人体図である。
【図６】図６は、図１に示す使い捨ておむつのウエスト弾性部材の固定状態を示す断面図である。
【図７】図７は、引張荷重の測定方法を示した図である。
【図８】図８は、線状に塗工された接着剤の例を示す平面図である。
【発明を実施するための形態】
【０００９】
以下に、本発明をその好ましい実施形態に基づき図面を参照しながら説明する。
本発明の一実施形態であるパンツ型使い捨ておむつ１（以下、おむつ１ともいう）は、図２に示すように、外装体１１と、該外装体１１の内面側に固定された吸収性本体１０とを備えている。
おむつ１は、着用時に着用者の腹側に配される腹側部Ａ、着用時に着用者の背側に配される背側部Ｂ、及び腹側部Ａと背側部Ｂとの間に位置して、着用時に着用者の股間部に配される股部Ｃを有している。
【００１０】
おむつ（パンツ型吸収性物品）の縦方向とは、腹側部Ａと背側部Ｂの間を股部Ｃを介して延びる方向であり、図２中のＹ方向である。また、おむつ（パンツ型吸収性物品）の幅方向は、前記縦方向と交差する方向であり、図２中のＸ方向である。展開且つ伸長状態のおむつ１において、おむつ１における幅方向Ｘは、前記縦方向Ｙと直交している。吸収性本体の縦方向及び幅方向は、それぞれ、パンツ型吸収性物品の縦方向、幅方向と対応する方向である。また、腹側部Ａ及び背側部Ｂのそれぞれにおいて、パンツ型吸収性物品の縦方向は、着用時の上下方向であるため、腹側部Ａ及び背側部Ｂの縦方向において、ウエスト開口縁Ｗ側を上、股部Ｃ側を下とも表現する。
【００１１】
外装体１１は、図２〜図４に示すように、外層シート１２及び該外層シート１２より内側に位置する内側シート１３を有している。内側シート１３は、外装体１１の厚み方向Ｚにおいて、外層シート１２よりも内側（着用時に着用者の肌に近い側）に配されている。
本実施形態のおむつ１は、内側シート１３として、内層シート１４、補助シート１５を有し、更に外層シート１２を構成するシート材がウエスト開口縁Ｗにおいて内面側に折り返されて形成された外層シート１２の折り返し部分１２ａ，１２ｂを有している。外層シート１２の折り返し部分１２ａ，１２ｂも内側シート１３に該当する。外層シート１２及び内層シート１４は、それぞれ、腹側部Ａ、股部Ｃ及び背側部Ｂに亘って連続しており、補助シート１５は、背側部Ｂ及び腹側部Ａにそれぞれ一枚配されている。
【００１２】
外層シート１２は、おむつ１の外表面を形成しており、内層シート１４は、外層シート１２に隣接させて該外層シート１２の内面側に配されている。補助シート１５は、図３及び図４に示すように、内層シート１４のおむつ長手方向の端部１４ｗの上下に亘って延在している。また、補助シート１５は、おむつ１の幅方向中央部においては、図３に示すように、吸収性本体１０の縦方向の端部１０ｗの上下に亘って延在している。そのため、補助シート１５は、外層シート１２の内面と対向する部分と内層シート１４の内面と対向する部分と吸収性本体１０の内面と対向する部分とを有している。内面は、パンツ型吸収性物品又はその構成部材におけるパンツ型吸収性物品の着用時に着用者の肌側に向けられる面である。
【００１３】
図１に示すように、外装体１１は、腹側部Ａにおける両側縁部と、背側部Ｂにおける両側縁部とが互いに接合されており、その接合によって、おむつ１に、一対のサイドシール部Ｓ，Ｓ、ウエスト開口部５及び一対のレッグ開口部６，６が形成されている。ウエスト開口縁Ｗは、ウエスト開口部５の周縁である。外装体１１は、展開且つ伸長状態のおむつ１においては、図２に示すように、縦方向中央部が括れた砂時計状の形状をしている。
【００１４】
図２〜図４に示すように、おむつ１における腹側部Ａ及び背側部Ｂは、それぞれ、ウエスト開口縁Ｗ側から股部Ｃ側に向かって順に、ウエスト領域Ａ１，Ｂ１、上腹部領域Ａ２，Ｂ２及び下腹部領域Ａ３，Ｂ３を有している。腹側部Ａは、おむつ１の縦方向の一端側のウエスト開口縁Ｗからレッグ開口部６の上端Ｓｔまでの部位、背側部Ｂは、おむつ１の縦方向の他端側のウエスト開口縁Ｗからレッグ開口部６の上端Ｓｔまでの部位である。
以下、主として、おむつ１の腹側部Ａにおけるウエスト領域Ａ１、上腹部領域Ａ２及び下腹部領域Ａ３の構成について、図３及び図４を参照しつつ説明するが、背側部Ｂにおけるウエスト領域Ｂ１、上腹部領域Ｂ２及び下腹部領域Ｂ３も同様の構成を有している。
【００１５】
ウエスト領域Ａ１，Ｂ１は、腹側部Ａ又は背側部Ｂにおいて、ウエスト開口縁Ｗに沿って、おむつ１の幅方向の延びる帯状の領域である。
ウエスト領域Ａ１，Ｂ１には、ギャザー形成用の複数本（図示例は６本）のウエスト弾性部材５１が、それぞれ、おむつ１の幅方向に延びておむつ１の幅方向に伸長させた状態で、外層シート１２の内面に固定されている。具体的には、ウエスト弾性部材５１は、ウエスト弾性部材５１を挟む外層シート１２と内側シート１３との間に接着剤を介して固定されている。より具体的には、図６に示すように、弾性部材５１に塗工した接着剤１８のみを介して、外層シート１２と、内側シート１３（外層シートの折り返し部分１２ａ又は内層シート１４）との間に接合されており、隣接するウエスト弾性部材５１どうし間に、外層シート１２と内側シート１３との間が接合されていない非接合領域Ｍが形成されている。また、外層シート１２の折り返し部分１２ａは、その外面側に線状に接着剤が塗工されており、その接着剤及び弾性部材５１に塗工した接着剤を介して、外層シート１２及び補助シート１５の内面側に固定されている（図示せず）。
また、おむつ１におけるウエスト弾性部材５１は、腹側部Ａ及び背側部Ｂそれぞれにおいて、サイドシール部Ｓ，Ｓ間の全域に亘って配されている。おむつ１の着用状態においては、ウエスト弾性部材５１の収縮により、外層シート１２及び内側シート１３に多数の襞ないし凹凸が生じて、ウエストギャザーＧ１が形成される。
【００１６】
上腹部領域Ａ２，Ｂ２は、おむつ１の幅方向の延びる所定幅の領域であり、ウエスト領域Ａ１，Ｂ１と下腹部領域Ａ３，Ｂ３との間に位置する。上腹部領域Ａ２，Ｂ２には、ギャザー形成用の複数本（図示例は３本）の内側弾性部材７１が、それぞれ、おむつ１の幅方向に延びて、内側シート１３と補助シート１５の間に伸長状態で固定されている。また、上腹部領域Ａ２，Ｂ２においては、外層シート１２と内層シート１４との間が非接合状態となっている。
【００１７】
より具体的には、最も下方（股部Ｃ側）に位置するウエスト弾性部材５１の下方に、外層シート１２と内層シート１４との間が接合されていない非接合領域Ｒ１が形成されており、該非接合領域Ｒ１は、一対のサイドシール部Ｓ，Ｓ間のほぼ全域（腹側部及び背側部の幅の９０％以上）に亘っている。そして、非接合領域Ｒ１では、内側弾性部材７１は、外層シート１２に接合されていない内側シート１３に固定されている。より詳細には、内側弾性部材７１は、内側弾性部材７１を挟む内層シート１４と補助シート１５との間に接着剤を介して固定されている。また、おむつ１における内側弾性部材７１は、腹側部Ａ及び背側部Ｂそれぞれにおいて、サイドシール部Ｓ，Ｓ間の幅全域に亘って配されている。
おむつ１の着用状態においては、内側弾性部材７１の収縮により、内側シート１３（内層シート１４と補助シート１５）に多数の襞ないし凹凸が生じて、内側ギャザー（不図示）が形成される。内側ギャザーは、外表面を形成するシートより内側に位置するシートが弾性部材によって襞寄せされて生じるギャザーである。
【００１８】
上腹部領域Ａ２は、着用状態において、着用者の腸骨稜から上前腸骨棘にかけての部位（以下、腸骨領域ともいう）に当接する部位に形成されている。腸骨稜及び上前腸骨棘は解剖学の用語である。腸骨稜とは図５において１６で示される部位であり、上前腸骨棘とは同図において１７で示される部位である。
【００１９】
着用者の腸骨稜から上前腸骨棘にかけての部位には一定の幅（おむつ縦方向における一定の長さに対応）がある。そのため、上腹部領域Ａ２，Ｂ２、特に内側弾性部材７１の配設領域も、おむつ縦方向に所定の長さを有している。また、それにより、上腹部領域Ａ２を、腸骨領域に当接させて、おむつのずれ落ちを効果的に防止することができる。上腹部領域Ａ２を、腸骨領域に効果的に当接させる観点から、上腹部領域Ａ２に配した内側弾性部材７１の配設領域の長さ（分布する幅）Ｌ２１（図３，４参照）は、成人用おむつにおいては１０〜８０ｍｍ、特に２０〜７０ｍｍであることが好ましく、幼児用おむつにおいては１０〜６０ｍｍ、特に１０〜５０ｍｍであることが好ましい。上腹部領域Ｂ２における内側弾性部材７１の配設領域の幅Ｌ２１（図３，４参照）も同様の数値範囲内であることが好ましい。
【００２０】
また、上腹部領域Ａ２を、腸骨領域に効果的に当接させる観点から、おむつ１の展開状態における、上腹部領域Ａ２の中心位置（おむつ１の縦方向に沿う中心位置）とおむつ１の長手方向中心線ＣＬとの間の距離Ｋ１（図２参照）は、成人用のおむつにおいては２８０〜３７０ｍｍ、特に３００〜３５０ｍｍであることが好ましく、幼児用のおむつにおいては１８０〜２６０ｍｍ、特に１９０〜２５０ｍｍであることが好ましい。上腹部領域Ｂ２についての対応する距離Ｋ２（図２参照）も同様の数値範囲内であることが好ましい。
【００２１】
上腹部領域Ａ２，Ｂ２各々では、外層シート１２とその内面側に位置する内側シート１３との間が接合されていない領域（非接合領域）Ｒ１のおむつ縦方向の長さＬ２（図４参照）が、おむつの縦方向の全長Ｌの１〜１２％、特に、２〜９．５％であることが、おむつ外表面の広い範囲を柔軟で肌触りの良い領域とし、おむつを柔らかな印象を与えるものとする観点から好ましい。特に、非接合領域が上腹部に存在し、ちょうどおむつを上げ下げする際に掴む部分に相当することで、指先でやわらかさを感じることができる。このような観点から、上腹部領域Ａ２、Ｂ２付近には非接合領域Ｒ１が上記の範囲の長さで存在することが好ましい。
【００２２】
下腹部領域Ａ３，Ｂ３は、おむつ１の幅方向の延びる所定幅の領域であり、腹側部Ａ又は背側部Ｂにおいて、最も股部Ｃ寄りに形成されている。下腹部領域Ａ３，Ｂ３それぞれには、ギャザー形成用の複数本の下腹部弾性部材９１が、おむつ１の幅方向に延びて固定されている。下腹部弾性部材９１は、おむつ１の幅方向に伸長させた状態で、外層シート１２の内面に固定されている。より具体的には、下腹部弾性部材９１は、下腹部弾性部材９１を挟む外層シート１２と内側シート１３との間に接着剤を介して接合されている。おむつ１の着用状態においては、下腹部弾性部材９１の収縮により、外層シート１２及び内側シート１３に多数の襞ないし凹凸が生じて、下腹部ギャザーＧ３，Ｇ３が形成される。
【００２３】
下腹部弾性部材９１は、おむつ幅方向Ｘの中央部で左右に分割された状態で配されている。すなわち、下腹部領域Ａ３，Ｂ３に配された下腹部弾性部材９１は、吸収性本体１０の両側縁の外方においては伸縮力を発現する一方、吸収性本体１０と重なる部分のＸ方向中央部には、配されていないか、弾性伸縮性を発現しないようになされている。弾性部材が弾性伸縮性を発現しないようにする方法は、特に制限されず、各種公知の方法を採用し得るが、下腹部弾性部材９１の一部を、弾性伸縮性を発現しなくなるように熱処理する方法や、下腹部弾性部材９１を、伸長状態が解除された複数の断片が生じるように分断する方法等が挙げられる。なお、下腹部弾性部材９１は、それらに塗工された接着剤のほかに、外層シート１２及び内側シート１３との間を接合する接着剤１９を介して、両シート間に固定されている。
【００２４】
外装体１１には、更に、レッグ部弾性部材６１が配されている。レッグ部弾性部材６１は、おむつ幅方向Ｘの両端部が腹側部Ａ又は背側部Ｂに位置し、おむつ幅方向Ｘの中央側が股部Ｃに位置するように湾曲させて配されている。レッグ部弾性部材６１は、外層シート１２と内層シート１４との間に、伸長状態で配されており、おむつ１のレッグ開口部６，６に、脚回りに沿って収縮するレッグギャザーを形成する。
下腹部弾性部材９１及びレッグ部弾性部材６１は、それぞれ隣接する２枚のシート間に、一方又は双方のシートに塗工した接着剤を介して接合されており、弾性部材と弾性部材との間の中央位置においてもシートどうしが接合されている。
【００２５】
図２及び図３に示すように、吸収性本体１０は、おむつの縦方向Ｙと同方向に長い長方形状であり、液透過性の表面シート２、液不透過性又は液難透過性（撥水性等）の裏面シート３及び両シート２，３間に介在配置された液保持性の吸収体４を有する。吸収体４は、パルプ繊維等の繊維の集合体（不織布であっても良い）からなる吸収性コア又はこれに吸水性ポリマーの粒子を保持させてなる吸収性コアを、コアラップシートで被覆してなる。コアラップシートとしては、例えばティッシュペーパのような薄紙や透水性の不織布等が好ましく用いられる。また、本おむつ１においては、図２に示すように、吸収性本体１０の長手方向の左右両側に、液抵抗性ないし撥水性で且つ通気性の素材から構成された側方カフス８，８が形成されている。各側方カフス８の自由端部の近傍には、複数の側方カフス弾性部材８１が伸張状態で配されている。側方カフス８は、おむつ着用時に起立して液の側方への流出を阻止する。
【００２６】
本実施形態のおむつ１は、従来のパンツ型使い捨ておむつと同様に、レッグ開口部６，６に脚を通した後、ウエスト領域Ａ１又は上腹部領域Ａ２付近を持って引き上げることにより容易に装着することができる。
【００２７】
本実施形態のおむつ１によれば、前述のように、上腹部領域Ａ２，Ｂ２においては、内側弾性部材７１によって外層シート１２より内側に内側ギャザーが形成される一方、ウエスト領域Ａ１，Ｂ１及び下腹部領域Ａ３，Ｂ３においては、ウエスト弾性部材５１及び下腹部弾性部材９１によって、ウエスト及び下腹部ギャザーが形成される。そのため、ウエスト領域と下腹部領域に挟まれた上腹部領域Ａ２，Ｂ２における外層シート１２に大きな皺が生じ易くなり、その結果、外層シート１２とそれより内側の内側シート１３との間に空間が生じ易く、外層シート１２が、柔軟で肌触りの良い外表面を形成し、その外表面は外観的にもやわらかな印象を与える。また、それと同時に、上腹部領域Ａ２に形成される内側ギャザーが、外層シート１２のウエストギャザー及び下腹部ギャザーの影響を受けにくい状態で着用者の腸骨領域に当接するため、着用者の肌に対するフィット性に優れると共に、おむつのズレ落ち防止性にも優れている。
【００２８】
また、本実施形態のおむつ１によれば、前述のように、下腹部弾性部材９１は、吸収性本体１０と重なる部分の中央部に配されていないか、該中央部においては弾性伸縮性を発現しないようになされているため、吸収性本体や吸収体が縮んで、上腹部領域の内側ギャザーが過度の縮むことを防止することができる。そのため、上腹部領域の内側ギャザーは下腹部弾性部材９１による応力の影響を受けにくく、上腹部領域の内側ギャザーが、腸骨稜付近にて設定どおりの応力を発現し、ズレ落ちを防止するとともに、肌トラブルを防ぐことができる。また、上腹部領域の、縦方向に関して吸収性本体と重なる領域ではウエストギャザーと対応する縦方向部分に下腹部ギャザーが存在しないので、比較的大きな皺による外層シートの浮きが形成されて、より柔らかい印象を与えるとともに、おむつ内の湿度を外部に放出しやすくなり、ムレ抑制に有効である。本実施形態のおむつ１は、これらの複合的な作用によって、着用者肌に対して優しいという効果を奏する。
【００２９】
本実施形態のおむつ１は、ウエスト領域Ａ１、上腹部領域Ａ２及び下腹部領域Ａ３のおむつ幅方向Ｘの、弾性部材１本当たりの引張荷重が下記の関係を満たす。
ウエスト領域Ａ１の引張荷重≧上腹部領域Ａ２の引張荷重＞下腹部領域Ａ３の引張荷重
【００３０】
腸骨領域に当接する部位の上腹部領域Ａ２に形成するギャザーを、外層シート１２より内側のシートを収縮させて形成する内側ギャザーとしてあるため、上腹部領域Ａ２の引張荷重を、ウエスト領域Ａ１の引張荷重以下としても、上腹部領域Ａ２が外層シートの剛性等の影響を受けにくいことから、応力応答性が良く、ズレ落ちを十分抑制することが可能となる。また、上腹部領域Ａ２の引張荷重によっておむつ全体が縮んで、サイズが小さく見える、という不具合を抑えることができ、外観的にゆったりしたサイズの印象を与えることができる。このことで、尿のモレにくさや、尿モレへの安心感といった外観的な優れた印象を与えることができる。
また、上腹部領域Ａ２の引張荷重が下腹部領域Ａ３の引張荷重より大きいことにより、腸骨領域でのおむつのズレ抑制効果が高く発揮できる。また、おむつの腹側部Ａ及び／又は背側部Ｂの形状が、股部Ｃ側からウエスト領域方向に移るにしたがい幅が狭まった台形形状となり、下着らしい外観を与えることができる。また、陰部に比較的近くデリケートな部位に当接する下腹部領域の応力を小さくすることで、おむつが当該部位にやさしくフィットし、装着中の肌トラブルを抑さえることができる。
【００３１】
ここで、ウエスト領域Ａ１、上腹部領域Ａ２及び下腹部領域Ａ３のおむつ幅方向Ｘの弾性部材１本当たりの引張荷重は、以下のようにして測定される。
〔引張荷重の測定方法〕
引張荷重は、ウエスト領域Ａ１、上腹部領域Ａ２、下腹部領域Ａ３に相当する部分をそれぞれ、製品状態で筒状に切り出してサンプルとし、各サンプルを一対のチャック間に固定した状態で、テンシロン装置を用いてサイクル試験を行うことにより測定する。
測定サンプルは、環状に連結された状態のまま切り出し、図７に示すように、その環状のサンプルＳを、一対のＵ字状の治具１００，１００間に架け渡すようにして、引張試験機（例えば、オリエンテック社製の「ＲＴＡ−１００」等）のチャック１１０，１１０間に固定する。サンプルＳの初期状態の長さａ（図７参照）は、環状のサンプルＳを自然に収縮させた状態（自然状態、外力を加えない状態）における該サンプルＳの周長の１／２の長さとする。そして、チャック１１０，１１０間に固定したサンプルＳを、引張りスピード３００ｍｍ/分で初期状態の長さａに対して２．４倍の長さとなるまで伸長させ、伸長させたサンプルの荷重を自然状態となるまで開放する。サンプルＳを自然状態から、自然状態の２．４倍の長さまで伸長させ、その後、自然状態に戻るまで収縮させる過程を１回のサイクルとする。各サンプルに対しそれぞれ１回のサイクル試験を行い、伸長率が１．７倍〜２．３倍の範囲における、サイクルの行き（伸長動作時）と戻り（荷重開放動作時）の荷重のうち、戻りの引張荷重を本発明の引張荷重の指標とする。引張荷重としては、切り出した測定部位に存在するゴムの本数で、上記範囲での引張荷重値を割ることで、ゴム１本にかかる荷重を引張荷重定義する。なお、１．７倍〜２．３倍の範囲を指標としたのは、様々な着用者の体型を想定し、おむつ着用者のサイズ適応性を考慮して設定したものである。
【００３２】
上述したウエスト領域Ａ１、上腹部領域Ａ２及び下腹部領域Ａ３のおむつ幅方向Ｘの、弾性部材１本当たりの引張荷重の関係は、戻りの引張荷重において成立していれば良いが、行きの引張荷重においても同じ関係が成立することが、装着感をより良好にすることから好ましい。
【００３３】
また、ウエスト領域Ａ１、上腹部領域Ａ２及び下腹部領域Ａ３のおむつ幅方向Ｘの引張荷重は、下記条件を満たすことがより好ましい。
ウエスト領域Ａ１の弾性部材１本あたりの引張荷重は、サイクルの行きで０．３〜１．０Ｎ、戻りで０．２〜０．７Ｎが好ましく、また、２倍伸長時では、行きで０．４〜０．５７Ｎ、戻りで０．３５〜０．４５Ｎであることが、おむつの伸びやすさと肌へのやさしい当たり感の点から好ましい。
上腹部領域Ａ２の弾性部材１本あたりの引張荷重は、サイクルの行きで０．３〜１．０Ｎ、戻りで０．２〜０．７Ｎが好ましく、また、２倍伸長時では、行きで０．４〜０．５７Ｎ、戻りで０．３５〜０．４５Ｎであることが、腸骨へのフィット性と肌へのやさしい当たり感の点から好ましい。
下腹部領域Ａ３の弾性部材１本あたりの引張荷重は、サイクルの行きで０．１〜０．６Ｎ、戻りで０．０５〜０．５Ｎが好ましく、また、２倍伸長時では、行きが０．２〜０．３５Ｎ、戻りが０．１〜０．２５Ｎであることが、下腹部の締め付け感が窮屈とならず、かつフィット性に優れる点から好ましい。
【００３４】
ウエスト領域Ａ１の弾性部材１本当たりの引張荷重は、上腹部領域Ａ２の弾性部材１本当たりの引張荷重の１００〜１２０％、特に１００〜１１０％であることが、装着中のズレにくさの点から好ましい。
上腹部領域Ａ２の弾性部材１本当たりの引張荷重は、下腹部領域Ａ３の弾性部材１本当たりの引張荷重の１４０〜４００％、特に１６０〜３００％であることが、装着中の肌へのやさしさの点から好ましい。
【００３５】
ウエスト領域Ａ１，Ｂ１に配するウエスト弾性部材５１は、上腹部領域Ａ２，Ｂ２に配された内側弾性部材７１と太さや配置間隔が同じであっても良いが、内側弾性部材７１はウエスト弾性部材５１に比して、太さが太く、配置間隔が広いことが、腸骨領域に対する内側シートの当たりが効果的となり、ズレ落ち防止効果が高くなることから好ましい。
【００３６】
ウエスト弾性部材５１の太さは、４７０〜１２４０ｄｔｅｘ、特に６２０〜９４０ｄｔｅｘとし、内側弾性部材７１の太さは、７８０〜１８８０ｄｔｅｘ、特に９４０〜１２４０ｄｔｅｘとすることが好ましい。ウエスト弾性部材５１の太さは、内側弾性部材７１の太さの４０〜９０％、特に５０〜８０％とすることが好ましい。
また、ウエスト弾性部材５１の配置間隔Ｐ１（図６参照）は、１〜５ｍｍ、特に２〜４ｍｍとし、内側弾性部材７１の配置間隔は、５〜１５ｍｍ、特に８〜１３ｍｍとすることが好ましい。ウエスト弾性部材５１の配置間隔Ｐ１は、内側弾性部材７１の配置間隔の１５〜３５％、特に２０〜３０％とすることが好ましい。
【００３７】
ウエスト領域Ａ１，Ｂ１に配するウエスト弾性部材５１の本数は、それぞれ、３〜２０本であることが好ましく、より好ましくは５〜１５本である。
上腹部領域Ａ２，Ｂ２に配する内側弾性部材７１の本数は、それぞれ、２〜１０本であることが好ましく、より好ましくは２〜５本である。
下腹部領域Ａ３，Ｂ３に配する下腹部弾性部材９１の本数は、それぞれ、３〜２０本であることが好ましく、より好ましくは５〜１５本である。
なお、本実施形態における下腹部弾性部材ように、弾性部材が、おむつ幅方向に分割されて配されている場合、左右の２本を纏めて１本と数える。
【００３８】
また、外層シート１２は、ウエスト開口縁Ｗで内面側に折り返し、ウエスト弾性部材５１の内面側を２枚のシート１５，１２ａで覆うことが、ウエスト弾性部材５１により着用者の肌に跡が付くことを防止する観点から好ましい。
また、おむつ１においては、外層シートの折り返し部分１２ａと外層シートの折り返されていない部分との間が、線状に配された接着剤のみによって接合されている。そのため、持ち手にあたるウエスト領域が柔らかく、かつ接着剤のついた不織布による弾性力の阻害を抑制できるため、やわらかく伸びることができる。
線状に配した接着剤としては、図６に示すように、線状の弾性部材に対して塗工した接着剤１８の他、図８に示す接着剤２０のように、シートに対して、幅１ｍｍ以下の幅Ｗ２で、且つ接着剤塗布部の面積より接着剤非塗布部の面積が充分に大きくなるように塗工された接着剤が挙げられる。
【００３９】
上述したおむつ１の各部の形成材料について説明する。
表面シート２、裏面シート３、吸収体４、及び側方カフス８形成用シート等としては、使い捨ておむつ等の吸収性物品に従来用いられている各種のもの等を特に制限なく用いることができる。例えば、表面シート２としては、単層又は多層構造の不織布や、開孔フィルム等を用いることができる。裏面シート３としては、樹脂フィルムや樹脂フィルムと不織布の積層体等を用いることができる。裏面シート３は、透湿性を有するものでも有しないものでも良い。
【００４０】
また、外層シート１２，内層シート１４，補助シート１５としても、使い捨ておむつ等の吸収性物品に従来用いられている各種のシート材を特に制限なく用いることができるが、不織布を用いることが好ましく、不織布としては、エアースルー不織布、ヒートロール不織布、スパンレース不織布、スパンボンド不織布、メルトブローン不織布の単層の不織布又はこれらが２層以上に積層された積層不織布等が好ましい。また、外層シート１２，内層シート１４，補助シート１５として、不織布とフィルムとを一体化したシート等を用いることもできる。
【００４１】
外層シート１２，内層シート１４及び補助シート１５は、それぞれ、スパンボンド不織布、特に目付（坪量）が２０ｇ／ｍ2以下のスパンボンド不織布であることが好ましい。
引っ張り強度に優れるスパンボンド不織布を使用することにより、各シートの目付の低減が可能であり、シートの剛性低下により、外層シート１２と内側シート１３との間に空間が形成されやすくなり、外表面の肌触りや柔軟性も向上する。
【００４２】
また、目付が２０ｇ／ｍ2以下のスパンボンド不織布は、平滑性にも優れるため、シートや弾性部材等からなる各部材間の接着性が向上し、接着剤の使用量を低減可能であるため、この観点からも、おむつ１の柔軟性の向上を図ることができる。
本実施形態のおむつ１によれば、外層シート１２等として、一般的に硬い不織布とされるスパンボンド不織布を使用した場合であっても、柔らかい印象の外観を与えることができる。
スパンボンド不織布は、柔軟加工を施されたものが好ましい。柔軟加工としては、不織布への柔軟剤塗工、製造時のエンボス加工のほか、原料樹脂への柔軟剤練り込み等が挙げられる。
なお、ポリプロピレン系樹脂を用いたスパンボンド不織布を外層シート及び内層シート及び補助シートのいずれかに使用する場合は、ウエスト弾性部材、レッグ部弾性部材、内側弾性部材、下腹部弾性部材において、パンツおむつのシーム部を形成する領域（サイドシール部）に接着剤が塗られていないことが、シール強度の観点から好ましい。
【００４３】
また、外層シート１２，内層シート１４及び補助シート１５、特に外層シート１２には、非伸長性のシートを用いることが好ましい。「非伸長性のシート」は、少なくともおむつ（パンツ型吸収性物品）の幅方向Ｘと同方向の最大伸度が１０％以下である（長さが１．１倍までしか伸びない）ことが好ましい。
＜最大伸度の測定方法＞
長さ５０ｍｍ、幅２５ｍｍのサンプル片を用意し、テンシロン装置を用いて、チャック間にサンプル片を固定し、３００ｍｍ／分の速度で伸長させ、破断した時点の伸度を最大伸度とする。破断した時点とは、伸長率と荷重の関係曲線において引張荷重が最大値を示す点である。
【００４４】
弾性部材５１，６１，７１，８１，９１の形成素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形又は多角形状等の糸状（糸ゴム等）、若しくは紐状（平ゴム等）のもの、又はマルチフィラメントタイプの糸状のもの等を好ましく用いることができる。
【００４５】
以上、本発明をその好ましい実施形態に基づき説明したが、本発明は上述した実施形態に制限されず適宜変更可能である。
【００４６】
例えば、上述した実施形態のおむつ１においては、ウエスト開口縁Ｗ近傍の一部のウエスト弾性部材５１は、外層シート１２と、外層シート１２の折り返し部分１２ａとの間に固定されていたが、これに代えて、内層シート１４をウエスト開口縁Ｗ側に更に延在させ、総てのウエスト弾性部材５１を、内層シート１４と外層シート１２との間に固定することもできる。
【００４７】
また、上述した実施形態のおむつ１においては、背側部Ｂ及び腹側部Ａの両方に、外層シート１２に固定されたウエスト弾性部材５１を有するウエスト領域、内側シート１３に内側弾性部材７１が固定された上腹部領域、及び外層シート１２に固定された下腹部弾性部材９１を有する下腹部領域が形成されていたが、上述した構成の、ウエスト領域、上腹部領域及び下腹部領域は、腹側部Ａのみに存在していても良い。その場合、背側部Ｂは、図３及び図４を参照して説明した腹側部Ａの構成のうちの任意の一部のみの構成を有していても良い。
【００４８】
また、外装体は、外層シート１２及び内層シート１４が、それぞれ、腹側部Ａ、股部Ｃ及び背側部Ｂに亘って連続しているものに代えて、腹側部Ａ及び背側部Ｂに、互いに別体の外層シート１２及び／又は内層シート１４が配されているものであっても良い。
また、パンツ型吸収性物品は、成人用又は幼児用のパンツ型使い捨ておむつの他、パンツ型の生理用ナプキン等であっても良い。
【００４９】
また、上述した実施形態のおむつ１におけるウエスト領域、上腹部領域及び下腹部領域は、それぞれのおむつ幅方向Ｘの弾性部材１本当たりの引張荷重が下記の関係を満たすようにすることも好ましい。
上腹部領域の引張荷重＞ウエスト領域の引張荷重＞下腹部領域の引張荷重
このような関係を持たせることで、上腹部領域に形成する内側ギャザーで、おむつのずり落ちを防止しつつ、ウエスト領域の肌に対する締め付け力を低下させることができる。そのため、ウエスト開口部にゆとりのある、着用者が動きやすく、また着用時に履かせ易い（又は履き易い）パンツ型吸収性物品が得られる。
【００５０】
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００５１】
１  パンツ型の使い捨ておむつ（パンツ型吸収性物品）
２  表面シート
３  裏面シート
４  吸収体
５  ウエスト開口部
６  レッグ開口部
１０  吸収性本体
１１  外装体
１２  外層シート
１２ａ，１２ｂ  外層シートの折り返し部分
１３  内側シート
１４  内層シート
１５  補助シート
１８，２０  線状に配された接着剤
５１  ウエスト弾性部材
６１  レッグ部弾性部材
７１  内側弾性部材
８１  側方カフス弾性部材
９１  下腹部弾性部材
Ａ  腹側部
Ａ１  ウエスト領域
Ａ２  上腹部領域
Ａ３  下腹部領域
Ｂ  背側部
Ｂ１  ウエスト領域
Ｂ２  上腹部領域
Ｒ１  非接合領域
Ｂ３  下腹部領域
Ｃ  股部
【図１】
2013102887.tif 000003
【図２】
2013102887.tif 000004
【図３】
2013102887.tif 000005
【図４】
2013102887.tif 000006
【図５】
2013102887.tif 000007
【図６】
2013102887.tif 000008
【図７】
2013102887.tif 000009
【図８】
2013102887.tif 000010